【手続補正書】
【提出日】平成26年4月3日(2014.4.3)
【手続補正１】
【補正対象書類名】明細書
【補正対象項目名】発明の名称
【補正方法】変更
【補正の内容】
【発明の名称】画像印刷制御装置、画像印刷制御方法、プログラム及び画像制御装置
【手続補正２】
【補正対象書類名】明細書
【補正対象項目名】０００６
【補正方法】変更
【補正の内容】
【０００６】
請求項１記載の発明は、画像を絵画風画像に変換し、印刷を制御する画像印刷制御装置において、前記画像または当該画像から変換された絵画風画像の一方の画像の画像領域のうち、香り付けを希望する一部画像領域がユーザ指定に基づいて指定されると、この指定された一部画像領域を香り付け領域として設定する香り付け領域設定手段と、前記一方の画像の画像領域を印刷材料にて印刷させるように制御する信号を出力する一方で、前記香り付け領域設定手段によって設定された香り付け領域を香料にて印刷させるように制御する信号を出力する印刷制御手段と、を備えることを特徴とする画像印刷制御装置である。
請求項５記載の発明は、画像を絵画風画像に変換する絵画風変換処理部と、前記画像または前記絵画風画像を印刷する印刷部とを含む画像印刷制御装置において、前記画像または当該画像から変換された絵画風画像の一方の画像の画像領域のうち、香り付けを希望する一部画像領域をユーザが指定可能な操作手段と、前記操作手段によるユーザ指定に基づいて前記一部画像領域を香り付け領域として設定する香り付け領域設定手段と、前記画像領域を印刷材料にて前記印刷部で印刷させるように制御する一方で、前記香り付け領域設定手段によって設定された香り付け領域である前記一部画像領域を香料にて印刷させるように前記印刷部を制御する印刷制御手段と、を備えることを特徴とする画像印刷制御装置である。
請求項６記載の発明は、画像を絵画風画像に変換する絵画風変換処理手段と、前記画像または前記絵画風変換処理手段により変換された絵画風画像を表示させる表示制御手段と、前記表示制御手段によって表示された前記画像または前記絵画風画像の画像領域のうち、香り付けを希望する一部画像領域をユーザが指定可能な操作手段と、前記操作手段から指定された前記一部画像領域を香料にて印刷させるために香り付け領域として設定する香り付け領域設定手段と、を備えることを特徴とする画像制御装置である。
請求項９記載の発明は、画像または当該画像から変換された絵画風画像の一方の画像の画像領域を印刷材料にて印刷させるように制御する一方で、指定された香り付け領域に対して、複数種の香り発生物に対応する香料にて印刷させるように構成される印刷制御手段を有することを特徴とする画像印刷制御装置である。
【手続補正３】
【補正対象書類名】明細書
【補正対象項目名】０００７
【補正方法】変更
【補正の内容】
【０００７】
請求項２記載の発明は、画像を絵画風画像に変換し、印刷を制御する画像印刷制御装置における画像印刷制御方法において、前記画像または当該画像から変換された絵画風画像の一方の画像を選択する画像選択ステップと、前記一方の画像の画像領域のうち、香り付けを希望する一部画像領域がユーザ指定に基づいて指定されると、この指定された一部画像領域を香り付け領域として設定する香り付け領域設定ステップと、前記一方の画像の画像領域を印刷材料にて印刷させるように制御する信号を出力する一方で、前記香り付け領域設定ステップによって設定された香り付け領域を香料にて印刷させるように制御する信号を出力する印刷制御ステップと、を備えることを特徴とする画像印刷制御方法である。
【手続補正４】
【補正対象書類名】明細書
【補正対象項目名】０００８
【補正方法】変更
【補正の内容】
【０００８】
請求項４記載の発明は、画像を絵画風画像に変換し、印刷を制御する画像印刷制御装置におけるコンピュータを、前記画像または当該画像から変換された絵画風画像の一方の画像の画像領域のうち、香り付けを希望する一部画像領域がユーザ指定に基づいて指定されると、この指定された一部画像領域を香り付け領域として設定する香り付け領域設定手段と、前記一方の画像の画像領域を印刷材料にて印刷させるように制御する信号を出力する一方で、前記香り付け領域設定手段によって設定された香り付け領域を香料にて印刷させるように制御する信号を出力する印刷制御手段として機能させることを特徴とするプログラムである。
【手続補正５】
【補正対象書類名】明細書
【補正対象項目名】０００９
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
画像を絵画風画像に変換し、印刷を制御する画像印刷制御装置において、
前記画像または当該画像から変換された絵画風画像の一方の画像の画像領域のうち、香り付けを希望する一部画像領域がユーザ指定に基づいて指定されると、この指定された一部画像領域を香り付け領域として設定する香り付け領域設定手段と、
前記一方の画像の画像領域を印刷材料にて印刷させるように制御する信号を出力する一方で、前記香り付け領域設定手段によって設定された香り付け領域を香料にて印刷させるように制御する信号を出力する印刷制御手段と、
を備えることを特徴とする画像印刷制御装置。
【請求項２】
画像を絵画風画像に変換し、印刷を制御する画像印刷制御装置における画像印刷制御方法において、
前記画像または当該画像から変換された絵画風画像の一方の画像を選択する画像選択ステップと、
前記一方の画像の画像領域のうち、香り付けを希望する一部画像領域がユーザ指定に基づいて指定されると、この指定された一部画像領域を香り付け領域として設定する香り付け領域設定ステップと、
前記一方の画像の画像領域を印刷材料にて印刷させるように制御する信号を出力する一方で、前記香り付け領域設定ステップによって設定された香り付け領域を香料にて印刷させるように制御する信号を出力する印刷制御ステップと、
を備えることを特徴とする画像印刷制御方法。
【請求項３】
請求項１記載の画像印刷制御装置において、
前記画像または当該画像から変換された絵画風画像の少なくとも一方の画像を表示させる表示制御手段を備え、
前記香り付け領域設定手段は、この表示制御手段の制御により表示されている画像の中に存在する香り発生対象の名称と色とが指定されると、この指定された香り発生対象の名称に対応する香りの種類と指定された香り発生対象の色に対応する香り付け領域とを設定することを特徴とする画像印刷制御装置。
【請求項４】
画像を絵画風画像に変換し、印刷を制御する画像印刷制御装置におけるコンピュータを、
前記画像または当該画像から変換された絵画風画像の一方の画像の画像領域のうち、香り付けを希望する一部画像領域がユーザ指定に基づいて指定されると、この指定された一部画像領域を香り付け領域として設定する香り付け領域設定手段と、
前記一方の画像の画像領域を印刷材料にて印刷させるように制御する信号を出力する一方で、前記香り付け領域設定手段によって設定された香り付け領域を香料にて印刷させるように制御する信号を出力する印刷制御手段と、
して機能させることを特徴とするプログラム。
【請求項５】
画像を絵画風画像に変換する絵画風変換処理部と、前記画像または前記絵画風画像を印刷する印刷部とを含む画像印刷制御装置において、
前記画像または当該画像から変換された絵画風画像の一方の画像の画像領域のうち、香り付けを希望する一部画像領域をユーザが指定可能な操作手段と、
前記操作手段によるユーザ指定に基づいて前記一部画像領域を香り付け領域として設定する香り付け領域設定手段と、
前記画像領域を印刷材料にて前記印刷部で印刷させるように制御する一方で、前記香り付け領域設定手段によって設定された香り付け領域である前記一部画像領域を香料にて印刷させるように前記印刷部を制御する印刷制御手段と、
を備えることを特徴とする画像印刷制御装置。
【請求項６】
画像を絵画風画像に変換する絵画風変換処理手段と、
前記画像または前記絵画風変換処理手段により変換された絵画風画像を表示させる表示制御手段と、
前記表示制御手段によって表示された前記画像または前記絵画風画像の画像領域のうち、香り付けを希望する一部画像領域をユーザが指定可能な操作手段と、
前記操作手段から指定された前記一部画像領域を香料にて印刷させるために香り付け領域として設定する香り付け領域設定手段と、
を備えることを特徴とする画像制御装置。
【請求項７】
前記操作手段は、前記表示制御手段の制御により表示された前記画像または前記絵画風画像の中の一部を指示することによって前記一部画像領域の指定を行うように構成されていることを特徴とする請求項６に記載の画像制御装置。
【請求項８】
前記操作手段は、前記表示制御手段の制御により表示された前記画像または前記絵画風画像の中に含まれる色を指定するように構成され。
前記香り付け領域設定手段は、前記操作手段からの指定に基づいて前記色に対応する領域を香り付け領域として設定することを特徴とする請求項６または７に記載の画像制御装置。
【請求項９】
画像または当該画像から変換された絵画風画像の一方の画像の画像領域を印刷材料にて印刷させるように制御する一方で、指定された香り付け領域に対して、複数種の香り発生物に対応する香料にて印刷させるように構成される印刷制御手段を有することを特徴とする画像印刷制御装置。
【請求項１０】
コーティング剤を付着させるコーティング剤付着制御手段を備え、
前記コーティング剤付着制御手段は、香り付け領域に付着させた香料の上に前記コーティング剤を付着させることを特徴とする請求項１、３、５、９いずれか一項に記載の画像印刷制御装置。